(57)【要約】【課題】  流し台等の前面側から操作することができ、前面側を容易かつ確実にカウンタートップに固定することのできる固定装置を備えた組込み式加熱調理器を提供すること。【解決手段】  ロータリーグリルの天板２に続く縦壁３の背面に貫通穴を介して固定されたナット３３と、垂直片１４ａ，１４ｂと水平片１５ａ，１５ｂとによりほぼＬ字状に形成され縦壁３の前面に回動可能に支持された固定金具１２と、軸方向の動きが規制されて固定金具１２の垂直片１４ａ，１４ｂの背面に当接する押圧金具１６を有し、縦壁３のナット３３に螺入された操作ねじ２０とからなる固定装置１１を備えた。【選択図】        図１
2006078027.tif 000002
【特許請求の範囲】
【請求項１】
ロースターグリルの天板に続く縦壁の背面に貫通穴を介して固定されたナットと、垂直片と水平片とによりほぼＬ字状に形成され前記縦壁の前面に回動可能に支持された固定金具と、軸方向の動きが規制されて前記固定金具の垂直片の背面に当接する押圧金具を有し、前記縦壁のナットに螺入された操作ねじとからなる固定装置を備えたことを特徴とする組込み式加熱調理器。
【請求項２】
ロースターグリルの天板に続く縦壁の背面に貫通穴を介して固定されたナットと、支持腕から所定の間隔で垂下した一対の垂直片及び該垂直片の下端部を直角に折曲げた水平片を有し、前記支持腕が前記縦壁の前面に回動可能に支持されたほぼＬ字状の固定金具と、頭部に続く大径部及び該大径部より小径のねじ部からなり、コ字状の押圧金具が前記大径部に軸方向の移動を規制されて嵌合された操作ねじとを有し、
該操作ねじを前記固定金具の垂直片の間から前記縦壁に設けたナットに螺入して前記押圧金具を前記固定金具の垂直片の背面に当接するようにした固定装置を備えたことを特徴とする組立み式加熱調理器。
【請求項３】
前記操作ねじの大径部に前記押圧金具を嵌合し、前記ねじ部にナットを螺入して該ナットを前記大径部に当接した位置で固定したことを特徴とする請求項２記載の組込み式加熱調理器。
【請求項４】
前記縦壁の前面に、前記固定金具の支持腕の両端部を回動可能に支持する軸受部を設けたことを特徴とする請求項２記載の組込み式加熱調理器。
【請求項５】
前記縦壁に、押出し成形により開口部及び中心部に貫通穴を有する保持部を形成し、該保持部の背面に前記貫通穴に対応してナットを固定したことを特徴とする請求項１〜４のいずれかに記載の組込み式加熱調理器。
【発明の詳細な説明】
【技術分野】
【０００１】
本発明は、流し台等に組込まれる加熱調理器に係り、より詳しくは、この加熱調理器の流し台等への固定装置に関するものである。
【背景技術】
【０００２】
従来の組込み式加熱調理器に、上面に開口部を有したキャビネットに落とし込むように、下部が前記開口部より小さく上部が前記開口部より大きい概Ｔ字の断面形状を有する本体と孔を有する固定金具を備え、前記本体側面部には凹状の切欠部を具備し、前記固定金具は前記凹状の切欠部に係合し、前記固定金具の孔にビスを通して本体と締結せしめるとともに、前記固定金具が押し上げられ、キャビネットと固定金具が当たり本体が固定されるようにしたものがある（例えば、特許文献１参照）。
【０００３】
【特許文献１】特許第３２９６３１３号公報（第３頁、図１−３）
【発明の開示】
【発明が解決しようとする課題】
【０００４】
加熱調理器の前面側には、操作部やグリルが設けられているので、特許文献１の固定金具の取付けが困難なため、本体部の後部側あるいは、後部側と左右を固定金具によりキャビネット（カウンタートップ）に固定し、前面側は固定しない場合があった。このため、加熱調理器の前面側がキャビネットから浮き上るおそれがあった。
【０００５】
本発明は、上記の課題を解決するためになされたもので、流し台等の前面側から操作することができ、前面側を容易かつ確実にカウンタートップに固定することのできる固定装置を備えた組込み式加熱調理器を提供することを目的としたものである。
【課題を解決するための手段】
【０００６】
本発明に係る組込み式加熱調理器は、ロースターグリルの天板に続く縦壁の背面に貫通穴を介して、固定されたナットと、垂直片と水平片とによりほぼＬ字状に形成され前記縦壁の前面に回動可能に支持された固定金具と、軸方向の動きが規制されて前記固定金具の垂直片の背面に当接する押圧金具を有し、前記縦壁のナットに螺入された操作ねじとからなる固定装置を備えたものである。
【発明の効果】
【０００７】
本発明は、簡単な構造の固定装置を加熱調理器の本体部の前面側に設け、本体部を流し台等に設置したのち流し台等の前面側からドライバーによって固定装置の操作ねじを操作することにより、加熱調理器の前面側をカウンタートップに容易かつ確実に固定するようにしたので、加熱調理器の前面側が浮き上ることがなく、信頼性の高い組込み式加熱調理器を得ることができる。
【発明を実施するための最良の形態】
【０００８】
図７は本発明の一実施の形態に係る組込み式加熱調理器の斜視図である。
加熱調理器の本体部１は、前面側の上面に前後方向に所定の幅でロースターグリルの天板２が設けられており、天板２の後端部には垂直に立設された縦壁３が形成され、その後部側上部は開口されてほぼ箱状に形成されている。４は縦壁３に設けた複数の排気穴である。
そして、外周に外枠６が設けられたトッププレート５が、本体部１の上部開口部を覆って着脱可能に装着されており、トッププレート５の上面には調理鍋等の載置部７ａ，７ｂ，７ｃが表示され、また、火力表示部８ａ，８ｂ，８ｃ等が設けられている。
【０００９】
本体部１内には、トッププレート５の載置部７ａ〜７ｃにそれぞれ対応して電磁誘導加熱コイルやヒータからなる加熱部が設置されており、また、この加熱部の制御部、加熱部や制御部等を冷却する冷却ファン等が設けられている。
９は本体部１の前面に設けられ、電源スイッチやタイマー等を有する操作部、１０は操作部９に隣接して設けられたロースタグリルである。１１は本体部１の縦壁３のほぼ中央部に設けられ、加熱調理器の前面側を流し台等のカウンタートップに固定するための固定装置である。
【００１０】
図１は本発明の一実施の形態に係る固定装置１１を加熱調理器の本体部１に取付けた状態を示す斜視図、図２は図１の固定装置の分解斜視図、図３は図１の要部の縦断面図である。
１２はほぼＬ字状の固定金具で、支持腕１３と、所定のすき間を隔てて支持腕１３から垂下した垂直片である一対の受け部１４ａ，１４ｂと、この受け部１４ａ，１４ｂの下端部を前方に直角に折曲げた水平片である固定部１５ａ，１５ｂとからなっている。なお、両受け部１４ａ，１４ｂ間のすき間は、後述の操作ねじ２０の頭部の径より若干大きく形成されている。
【００１１】
１６は本体部１７とその両端部が前側に折曲げられて腕部１８ａ，１８ｂが形成されたコ字状の押圧金具で、本体部１７の中央部には貫通穴１９が設けられている。この押圧金具１６の高さｈ1固定金具１２の受け部１４ａ，１４ｂの高さｈとほぼ等しく、また、腕部１８ａ，１８ｂの内のり間隔Ｗ1は、固定金具１２の受け部１４ａ，１４ｂの外縁部間の間隔Ｗとほぼ等しいか又は若干大きく形成されている。
【００１２】
２０は操作ねじで、頭部２１と頭部２１に引続いて設けられた大径部２２と、この大径部２２より小径のねじ部２３とからなっている。なお、大径部２２の径は、押圧金具１６の貫通穴１９に遊嵌しうる大きさになっている。
この操作ねじ２０は、ねじ部２３を押圧金具１６の前面側から貫通穴１９に挿通して大径部２２を貫通穴１９内に位置させ、ねじ部２３に大径部２２に当接するまでナット２４を螺入してナット２４をねじ２０に固定し、押圧金具１６が回転はするが大径部２２から抜け出さないように規制している。なお、ナット２４に代えて、例えばワッシャをねじ部２３に嵌入して固定してもよい。
【００１３】
２５は取付部２６の両側にコ字状の軸受部２７ａ，２７ｂが設けられた固定金具１２の支持部材で、固定金具１２の支持腕１３の両端部が軸受部２７ａ，２７ｂに挿入しうる長さに形成され、取付部２６が加熱調理器の縦壁３の前面にビス、溶接等により固定される。この支持部材２５の軸受部２７ａ，２７ｂは、固定部材１２の支持腕１３の両端部が回動しうる大きさに形成している。なお、支持部材２５の取付部２６を省略し、軸受部２７ａ，２７ｂのみを縦壁３の所定の位置に取付けるようにしてもよく、あるいは、プレスによる押出し加工により縦壁３に軸受部２７ａ，２７ｂを形成してもよい。
【００１４】
３０はほぼ凸字状の保持部材で、加熱調理器の縦壁３に設けた開口部３ａの背面側において、縦壁３にビス、溶接等により固定されている。そして、保持部３０の中央部には貫通穴３２が設けられており、この貫通穴３２の背面側には、操作ねじ２０のねじ部２３が螺入されるナット３３が固定されている。なお、この保持部材３０は別部品とすることなく、例えば縦壁３をプレスによる押出し加工により開口部３ａ、保持部材３０（以下、保持部ということがある）及び貫通穴３２を同時に形成して貫通穴３２の背面にナット３３を固定してもよく、あるいは開口部３ａを設けることなく、縦壁３に直接貫通穴３２を設けて、その背面にナット３３を固定してもよい。
【００１５】
次に、上記のような各部からなる固定装置１１の加熱調理器への取付手順の一例について説明する。なお、ナット３３が固定された保持部材３０はあらかじめ縦壁３の開口部３ａの背面側に取付けられており、また、軸受部２７ａ，２７ｂを有する支持部材２５は、縦壁３の前面側の所定の位置に取付けられているものとする。
【００１６】
先ず、押圧金具１６の貫通穴１９に操作ねじ２０を挿通して貫通穴１９内に大径部２１を位置させ、ねじ部２３にナット２４を螺入して大径部２２に当接させ、その位置に固定する。そして、この操作ねじ２０のねじ部２３を縦壁３の開口部３ａから保持部材３０の貫通穴３２に挿入し、ナット３３に、ナット２４が縦壁３の近傍に達するまで螺入する。ついで、固定金具１２の受け部１４ａ，１４ｂの間に操作ねじ２０の頭部２１を位置させ、その支持部１３の両端部を軸受部２７ａ，２７ｂに嵌入する。これにより、固定金具１２は軸受部２７ａ，２７ｂに回動可能に支持される。
【００１７】
このとき、押圧金具１６の本体部１７は固定金具１２の受け部１４ａ，１４ｂの背面に当接又は近接すると共に、その両腕部１８ａ，１８ｂは固定金具１２の支持腕１３の下から、受け部１４ａ，１４ｂの両側を抱くように位置し、また、押圧金具１６の下端部及び固定金具１２の固定部１５ａ，１５ｂは、加熱調理器の天板２の上面に当接する（このときの状態を図１、図３に示す）。
【００１８】
上記のように構成した固定装置１１において、図４に示すように、操作ねじ２０を緩める方向に回転させると、操作ねじ２０は矢印ａ方向に移動する。これにより、ナット２４が押圧金具２４を押圧し、押圧金具２４の上端部が固定金具１２の当り部１４ａ，１４ｂの背面に当接する。さらに操作ねじ２０を緩めると、固定金具１２は押圧金具１６に押圧されて、軸受部２７ａ，２７ｂを中心に矢印ｂ方向に回動する。
【００１９】
次に、上記の固定装置１１により、加熱調理器の前面側を流し台等のカウンタートップに固定する作用について、図５、図６の模式図により説明する。図５，図６において、４０は流し台等のカウンタートップで、加熱調理器は本体部１が流し台等の開口部４１内に設置され、トッププレート５の外縁がカウンタートップ４０の上面に位置している。なお、流し台等の前面側には、加熱調理器の縦壁３に設けら排気穴４からの排気を外部に排出するための開口部４２が設けられており、縦壁３の開口部４２に対応した位置には固定装置１１が取付けられている。
【００２０】
加熱調理器を流し台等の内部に設置したのち、本体部１の後部と左右の全部又は一部を流し台等に固定し、ついで、ドライバーを開口部４２から挿入して、操作ねじ２０を緩める方向に回転させる。これにより、図４で説明したように、押圧金具１６の移動に伴って固定金具１２が軸受部２７ａ，２７ｂを中心に矢印ｂ方向に回動し、図６に示すように、その固定部１５ａ，１５ｂの先端部がカウンタートップ４０の下面に当接する。さらに、操作ねじ２０を緩めると、固定部１５ａ、１５ｂの先端部がカウンタートップ４０の下面に圧着され、加熱調理器の本体部１の前面側はカウンタートップ４０に強固に固定される。
【００２１】
本体部１が固定されたのち、その上部開口部にトッププレート５を装着し、その外縁をカウンタートップ４０上に載置する。なお、図には、本体部１の前面側に固定装置１１を１個設けた場合を示したが、複数個設けてもよい。
【００２２】
このように、本発明によれば、簡単な構造の固定装置１１を加熱調理器の本体部１の前面側に設け、本体部１を流し台等に設置したのち、流し台等の前面側からドライバーを差込んで固定装置１１の操作ねじ２０を操作することにより、加熱調理器の前面側をカウンタートップ４０に容易かつ確実に固定するようにしたので、前面側がカウンタートップ４０から浮き上ることがない。
また、固定装置１１は、本体部１からの突出部分が少ないので、本体部１を流し台等に組込む際に損傷することがないなど、信頼性の高い組込み式加熱調理器を得ることができる。
【図面の簡単な説明】
【００２３】
【図１】本発明の一実施の形態に係る固定装置を加熱調理器の本体部に取付けた状態を示す斜視図である。
【図２】図１の固定装置の分解斜視図である。
【図３】図１の要部の縦断面図である。
【図４】固定装置の作用説明図である。
【図５】固定装置により加熱調理器の本体部を流し台等のカウンタートップに固定する手順の説明図である。
【図６】固定装置により加熱調理器の本体部を流し台等のカウンタートップに固定する手順の説明図である。
【図７】本発明の一実施の形態に係る組込み式加熱調理器の斜視図である。
【符号の説明】
【００２４】
１  本体部、２  ロースターグリルの天板、３  縦壁、５  トッププレート、９  操作部、１０  ロースターグリル、１１  固定装置、１２  固定金具、１４ａ，１４ｂ  受け部、１５ａ，１５ｂ  固定部、１６  押圧金具、１８ａ，１８ｂ  腕部、２０  操作ねじ、２２  大径部、２４，３３  ナット、２７ａ，２７ｂ  軸受部、４０  流し台等のカウンタートップ。
【図１】
2006078027.tif 000003
【図２】
2006078027.tif 000004
【図３】
2006078027.tif 000005
【図４】
2006078027.tif 000006
【図５】
2006078027.tif 000007
【図６】
2006078027.tif 000008
【図７】
2006078027.tif 000009